(57)【要約】【課題】カメラ機能を具備する携帯電話端末を所持して撮影禁止場所への立ち入りするユーザに対して、非接触方式の通信を利用することで、カメラ使用を制限するとともに、撮影禁止場所への立ち入りをスムースに行うことができる。特定機能制限システムを提供することを目的とする。【解決手段】携帯電話端末１０はＩＣカード１３ｂに記憶されている自身の機種情報をゲート３０と近距離無線通信によって送信し、サーバ２０は、ゲート３０を介して受信した携帯電話端末１０自身の機種情報から、機種コードデータベース２３に記憶されている機種コードと比較し、特定機能を具備する携帯電話端末であると判断された時に、サーバ２０から携帯電話端末１０へ特定機能の制限を行う信号がゲート３０と近距離無線通信を介して送信され、エリア内への入場が許可される。【選択図】図１
2007267007.tif 000002
【特許請求の範囲】
【請求項１】
前記携帯電話端末が具備する特定機能の使用を禁止するエリアの出入口に設置された制御装置と、サーバとが通信回線を介して接続された特定機能制限システムであって、
前記サーバは、特定機能を具備する携帯電話端末の機種情報を記憶した記憶手段を有し、
前記携帯電話端末は前記ＩＣカードに記憶されている自身の機種情報を前記制御装置と近距離無線通信によって送信し、
前記サーバは、前記制御装置を介して受信した前記携帯電話端末自身の機種情報から、前記記憶手段に記憶されている機種コードと比較し、前記特定機能を具備する携帯電話端末であると判断された時に、前記サーバから前記携帯電話端末へ特定機能の制限を行う信号が前記制御装置と前記近距離無線通信を介して送信され、
前記エリア内への入場が許可されることを特徴とする特定機能制限システム。
【請求項２】
前記携帯電話端末は、非接触インターフェイス機能を有するＩＣカードを内蔵し、
前記制御装置との近距離無線通信を前記非接触インターフェイス機能によって、通信を行うことを特徴とする請求項１記載の特定機能制限システム。
【請求項３】
前記携帯電話端末は、前記制御装置との通信を行う前に、事前に前記サーバに通信回線を介して、前記携帯電話端末の自身の機種情報を送信し、
前記サーバは、受信した機種情報から特定機能を具備した携帯電話端末であると判断した場合に、前記携帯電話端末へユーザ登録を行い、ユーザＩＤを発行することを特徴とする請求項１または２記載の特定機能制限システム。
【請求項４】
前記サーバは、前記携帯電話端末から前記制御装置を介して、自身の機種情報と前記ユーザＩＤを受信し、
前記特定機能を具備する携帯電話端末であるかの判断と、予めユーザ登録した携帯電話端末であるかの判断を行うことを特徴とする請求項１から３のいずれか１項に記載の特定機能制限システム。
【請求項５】
前記サーバは、前記特定機能の制限の解除信号を前記エリアからの退場の際に、前記制御装置を介して前記携帯電話端末へ送信することを特徴とする請求項１から４のいずれか１項に記載の特定機能制限システム。
【請求項６】
前記非接触インターフェイス機能は、前記制御装置と双方向で通信を行うことを特徴とする請求項１から５のいずれか１項に記載の特定機能制限システム。
【発明の詳細な説明】
【技術分野】
【０００１】
本発明は、携帯電話端末が具備する特定機能を制限させる特定機能制限システムに関する。
【背景技術】
【０００２】
近年の携帯電話機では、カメラ機能を実装することが標準となっており、ユーザは、カメラ機能を利用することで、どこでも簡単に写真を撮影することができるが、このカメラ機能を利用して、企業の社外秘情報を簡単に撮影することで、情報漏洩が生じるという問題が発生している。また、コンサートや博物館での写真撮影禁止の場所でも、軽量かつ小型の携帯電話機で隠し撮りを簡単することができ、このようなことは、社会的な問題の一つになっている。
【０００３】
上記のような問題を解決するために、例えば、特許文献１には、カメラ機能付き携帯通信端末を携行して撮影禁止の場所へ出入りする者を対象に、赤外線通信等の近距離無線通信の機能を利用してカメラの使用を制限する発明が提案されている。
【特許文献１】特開２００５−０５６３７７号公報
【発明の開示】
【発明が解決しようとする課題】
【０００４】
しかし、特許文献１で提案されている撮影規制システムでは、カメラ制御装置と赤外線通信を行うことで、カメラの使用を制限しているが、携帯電話端末では、赤外線通信を作動させるためのアプリケーションを具備しており、ユーザは、カメラ制御装置の前で、このアプリケーションを起動させることで、赤外線通信を利用することができる。
このため、カメラ制御装置との赤外線通信を行うためには、ある程度の時間を必要することから、撮影禁止場所の出入りする人が多くなればなるほど、出入りに時間がかかってしますことが考えられる。
【０００５】
本発明は係る問題に鑑みてなされたものであり、カメラ機能を具備する携帯電話端末を所持して撮影禁止場所への立ち入りするユーザに対して、非接触方式の通信を利用することで、カメラ使用を制限するとともに、撮影禁止場所への立ち入りをスムースに行うことができる。特定機能制限システムを提供することを目的とする。
【課題を解決するための手段】
【０００６】
上記目的を達成するために、請求項１記載の特定機能制限システムは、携帯電話端末が具備する特定機能の使用を禁止するエリアの出入口に設置された制御装置と、サーバとが通信回線を介して接続された特定機能制限システムであって、サーバは、特定機能を具備する携帯電話端末の機種情報を記憶した記憶手段を有し、携帯電話端末はＩＣカードに記憶されている自身の機種情報を制御装置と近距離無線通信によって送信し、サーバは、制御装置を介して受信した携帯電話端末自身の機種情報から、記憶手段に記憶されている機種コードと比較し、特定機能を具備する携帯電話端末であると判断された時に、サーバから携帯電話端末へ特定機能の制限を行う信号が制御装置と近距離無線通信を介して送信され、エリア内への入場が許可されることを特徴とする。
【０００７】
請求項２記載の発明は、請求項１記載の特定機能制限システムであって、携帯電話端末は、非接触インターフェイス機能を有するＩＣカードを内蔵し、制御装置との近距離無線通信を非接触インターフェイス機能によって、通信を行うことを特徴とする。
【０００８】
請求項３記載の発明は、請求項１または２記載の特定機能制限システムであって、携帯電話端末は、制御装置との通信を行う前に、事前にサーバに通信回線を介して、携帯電話端末の自身の機種情報を送信し、サーバは、受信した機種情報から特定機能を具備した携帯電話端末であると判断した場合に、携帯電話端末へユーザ登録を行い、ユーザＩＤを発行することを特徴とする。
【０００９】
請求項４記載の発明は、請求項１から３のいずれか１項に記載の特定機能制限システムであって、サーバは、携帯電話端末から制御装置を介して、自身の機種情報とユーザＩＤを受信し、特定機能を具備する携帯電話端末であるかの判断と、予めユーザ登録した携帯電話端末であるかの判断を行うことを特徴とする。
【００１０】
請求項５記載の発明は、請求項１から４のいずれか１項に記載の特定機能制限システムであって、サーバは、特定機能の制限の解除信号をエリアからの退場の際に、制御装置を介して携帯電話端末へ送信することを特徴とする。
【００１１】
請求項６記載の発明は、請求項１から５のいずれか１項に記載の特定機能制限システムであって、非接触インターフェイス機能は、制御装置と双方向で通信を行うことを特徴とする。
【発明の効果】
【００１２】
本発明によれば、非接触方式の通信を利用して、携帯電話端末が具備するカメラ機能の使用を制限することで、撮影禁止場所への立ち入りをスムースに行うことができる。
【発明を実施するための最良の形態】
【００１３】
次に、図面を参照して、本実施形態に係る特定機能制限システムについて説明する。
図１は、特定機能制限システムの構成を示した図である。
特定機能制限システムは、ユーザが所持する携帯電話端末１０、情報処理サーバ２０、ゲート３０から構成されている。携帯電話端末１０は、カメラ機能を搭載すると共に、着脱可能なＩＣカード１３ｂが内蔵されている。ＩＣカード１３ｂは、ゲート３０が有するリード／ライト部３１と非接触方式で通信を行うことができ、ＩＣカード１３ｂとリード／ライト部３１との通信によって、携帯電話端末１０内に記憶されている情報の読み取りや書き込みを可能とする。
【００１４】
また、携帯電話端末１０は、カメラ機能を作動させるアプリケーションの他に、カメラ機能の作動を禁止するアプリケーションを備えている。このカメラロック機能を作動させるアプリケーションは、ユーザ自身で、携帯電話端末１０のキー操作によって行うこともできるし、また、外部から受信したカメラ機能制限の信号によって、カメラロック機能を作動させることも可能である。
【００１５】
情報処理サーバ２０は、制御部２１とユーザ情報データベース２２、機種コードデータベース２３を備えている。情報処理サーバ２０は、コンサートや展覧会などを運営する会社や企業自体、ゲート３０が設置されている会場が有している。ユーザ情報データベース２２は、携帯電話端末１０から送信されたユーザ情報とユーザ情報に関連付けて機種コードを蓄積する。機種コードデータベース２３は、携帯電話端末の機種ごとの機種コードが記憶されており、受信した機種コードから制御部２１が機種コードデータベース２３から一致する機種コードを検索する。
【００１６】
検索した結果一致した機種コードがあり、機種コードからカメラ機能の作動を禁止するアプリケーションを搭載した携帯電話端末１０の場合に、サーバ２０は、携帯電話端末１０にＩＤナンバーを送信し、携帯電話端末１０は、受信したＩＤナンバーを登録する。
【００１７】
ゲート３０は、携帯電話端末１０が搭載するＩＣカード情報を無線で読み取り／書き込み可能なリード／ライト部３１を有する。ゲート３０では、既存の技術を流用できるため、詳細な説明に関しては、省略する。
【００１８】
次に、図２〜図５を参照して、本システムの処理動作について説明する。
図２は、本システム全体の処理動作を示したフローチャートである。
まず、携帯電話端末１０を所持するユーザがゲート３０を通過する時に、ゲート２０が有するリーダ／ライタ部３１に携帯電話端末１０をかざす（ステップＳ１００）。リーダ／ライタ部３１は、携帯電話端末１０が有するＥＥＰＲＯＭ１４内のＩＤナンバー１４ａと機種コード１４ｂとを読み取る（ステップＳ１０１）。
【００１９】
リーダ／ライタ部３１で読み取った情報をサーバ２０へ送信する（ステップＳ１０２）。サーバ２０では、まず、ユーザがゲートに入場した日にち及び時間を記録することができる。また、サーバ２０は受信した情報から、制御部２１が機種コードデータベース２３に一致する機種コードがあるかを検索する（ステップＳ１０３）。一致する機種コードがあった場合には（ステップＳ１０３／ＹＥＳ）、予めサーバ２０へＩＤナンバーを発行される時に、携帯電話端末１０は、カメラロック機能が搭載されている機種であることが認識されている。そのため、サーバ２０から携帯電話端末１０へカメラロック機能を作動させる信号を送信する。
【００２０】
また、事前にサーバ２０への機種コードの入力を行った際に、カメラロック機能が搭載されていない携帯電話端末であると判断された場合には、サーバ２０から携帯電話端末１０へ「未認可端末である」というメッセージを返す。これにより、ユーザは、携帯電話端末１０を持ち込んではいけないことを知ることができる。この時、携帯電話端末を所持していないユーザについては、ゲート３０とは別の例えば、有人ゲートから入場することとなる。次に、ＩＤナンバーの検索をする（ステップＳ１０４）。なお、一致する機種コードがあった場合には、サーバ２０から携帯電話端末１０へ機種コードの一致を示唆する旨を通知する。
【００２１】
ステップＳ１０４では、制御部２１がユーザ情報データベース２２から携帯電話端末１０へ発行したＩＤナンバーを検索し、一致するＩＤナンバーがあった場合には（ステップＳ１０４）、次に、もう一度機種コードとＩＤナンバーの検索を行い、進入を許可してもよい携帯電話端末１０かを判断する（ステップＳ１０５）。制御部２１は、繰り返して、ＩＤナンバーと機種コードとをユーザ情報データベース２２と機種コードデータベース２３から検索する。
【００２２】
ステップＳ１０５における検索の結果から、機種コードとＩＤナンバーが一致する場合には、携帯電話端末１０からサーバ２０へ進入許可信号を送信することで（ステップＳ１０５）、ゲートが開く（ステップＳ１０７）。
なお、ステップＳ１０３〜Ｓ１０５において、機種コード及びＩＤナンバーが一致しない場合には（ステップＳ１０３／ＮＯ，Ｓ１０４／ＮＯ，Ｓ１０５／ＮＯ）、ゲートは開かず、進入を禁止する（ステップＳ１０８）。
【００２３】
次に、図３、図４を参照して、進入許可／不許可におけるシステム全体の処理動作について説明する。
図３は、携帯電話端末１０を所持するユーザの進入を許可する処理動作を示したシーケンス図である。
まず、携帯電話端末１０をゲート３０のリーダ／ライタ３１へかざすことで（ステップＳ２００）、携帯電話端末１０内の機種コードとＩＤナンバーを読み取る。ゲート３０は、読み取った機種コードとＩＤナンバーをサーバ２０へ送信し（ステップＳ２０１）、まず、サーバ２０では、機種コードの検索を行う（ステップＳ２０２）。
【００２４】
一致した機種コードがある場合には、携帯電話端末１０へ、機種コードが一致した旨を通知する（ステップＳ２０３）。次に、ＩＤナンバーの検索を行い、一致したＩＤナンバーがある場合には（ステップＳ２０４）、ＩＤナンバーが一致した旨を通知するとともに（ステップＳ２０５）、再確認のため、もう一度、機種コードとＩＤナンバーとの確認をし、一致する機種コードとＩＤナンバーとがある場合には（ステップＳ２０６）、その旨を携帯電話端末１０へ通知する。
【００２５】
携帯電話端末１０は、サーバ２０へ進入許可信号を送信し（ステップＳ２０８）、サーバ２０は、進入許可信号をゲート３０へ送信し、ゲートの扉が開く（ステップＳ２１０）。
【００２６】
また、図４では、進入を許可しない処理動作を示したシーケンス図である。
図３を同様の処理を行うが、サーバ２０では、ゲート３０が有するリード／ライト３１が取得した情報から、機種コードとＩＤナンバーの検索を行う。
まず、機種コードを検索する（ステップＳ３０２）。一致する機種コードがない場合には携帯電話端末１０へ機種コードが一致しない旨の通知を行う（ステップＳ３０３）。次に、ＩＤナンバーの検索を行う（ステップＳ３０４）。一致するＩＤナンバーがない場合には、携帯電話端末１０へＩＤナンバーが一致しない旨の通知を行う（ステップＳ３０５）。再確認として、機種コードとＩＤナンバーとが一致するかを確認する（ステップＳ３０６）。再確認でも機種コードとＩＤナンバーとが一致しない場合には、その旨を携帯電話端末１０へ送信し（ステップＳ３０７）、進入不許可の信号を携帯電話端末１０へ送信する（ステップＳ３０８）。ゲート３０は、携帯電話端末１０は進入不許可のため、ゲートは閉じたままとなる（ステップＳ３０９）
【００２７】
また、図５を参照して、進入許可された携帯電話端末１０のカメラ機能の制限を行う処理動作について説明する。
携帯電話端末１０からサーバ２０へ進入許可信号を送信した際に、サーバ２０から携帯電話端末１０へカメラ機能制限信号が送信される（ステップＳ４００）。この時、携帯電話端末１０内のＥＥＰＲＯＭ１４では、カメラ機能ロックのフラグが立ち、カメラ機能の起動を禁止する。ユーザは、カメラを起動させた時に（ステップＳ４０１）、ＥＥＰＲＯＭ１４内のカメラ機能ロックのフラグを確認し（ステップＳ４０２）、携帯電話端末１０が有する表示画面や背面ディスプレイ（図示せず）には、「カメラ撮影禁止」の表示がされる（ステップＳ４０３）。
【００２８】
また、退場の際に、ゲート３０を介してサーバ２０から送信される信号を受信しないかぎりカメラロック機能は解除できない。サーバ２０からは、携帯電話端末１０内のＥＥＰＲＯＭ１４内のカメラロック機能のフラグを解除させる信号であり、例えば、ゲート３０を入場ゲートと退場ゲートに分けることで、退場ゲートのみで、解除信号を受信することができる。
【図面の簡単な説明】
【００２９】
【図１】本実施形態に係るシステムの構成を示した図である。
【図２】本実施形態に係るシステムの処理動作を示したフローチャートである。
【図３】図２において、進入許可された場合の処理動作を示したシーケンスである。
【図４】図２において、進入不許可された場合の処理動作を示したシーケンスである。
【図５】本実施形態に係るシステムの処理動作を示したフローチャートである。
【符号の説明】
【００３０】
１０    携帯電話端末
１１    ＣＰＵ
１２    ＲＡＭ
１３    ＲＯＭ
１４    ＥＥＰＲＯＭ
１５    コンプレッサ
１６    カメラ
１７    インタフェース
２０    サーバ
２１    制御部
２２    ユーザ情報データベース２２
２３    機種コードデータベース
３０    ゲート
３１    リード／ライト部
【図１】
2007267007.tif 000003
【図２】
2007267007.tif 000004
【図３】
2007267007.tif 000005
【図４】
2007267007.tif 000006
【図５】
2007267007.tif 000007